(57)【特許請求の範囲】
【請求項１】
番組の素材を示す素材情報、該番組に関する制御情報を含んだデジタル放送の番組情報信号に、少なくとも番組の素材とともに表示すべきコンテンツを示すコンテンツ情報、該コンテンツに関する管理情報を含んだデジタル文字放送信号を多重して送出するデジタル放送番組送出装置に適用され、前記デジタル文字放送信号をモニタするデジタル文字放送信号モニタ装置であって、
前記番組情報信号に多重すべきデジタル文字放送信号を抽出するデジタル文字放送信号抽出手段と、
このデジタル文字放送信号抽出手段により抽出したデジタル文字放送信号を擬似的に発生する番組情報信号に多重して多重化信号を生成する多重化信号生成手段と、
この多重化信号生成手段で生成された多重化信号を表示する表示手段とを具備したことを特徴とするデジタル文字放送信号モニタ装置。
【請求項２】
番組の素材を示す素材情報、該番組に関する制御情報を含んだデジタル放送の番組情報信号に、少なくとも番組の素材とともに表示すべきコンテンツを示すコンテンツ情報、該コンテンツに関する管理情報を含んだデジタル文字放送信号を多重して送出するデジタル放送番組送出装置に適用され、前記デジタル文字放送信号をモニタするデジタル文字放送信号モニタ装置であって、
前記番組情報信号に多重すべきデジタル文字放送信号を抽出するデジタル文字放送信号抽出手段と、
このデジタル文字放送信号抽出手段により抽出したデジタル文字放送信号を擬似的に発生する番組情報信号に多重して多重化信号を生成する第１の処理モードと、前記デジタル文字放送信号抽出手段により抽出したデジタル文字放送信号を取り込み、前記コンテンツ情報の内容及び前記管理情報の内容を解析する第２の処理モードとを有した信号処理手段と、
この信号処理手段の出力を表示する表示手段と、
外部からの指定情報に応じて、前記第１及び第２の処理モードを選択的に実行させるモード選択制御手段とを具備したことを特徴とするデジタル文字放送信号モニタ装置。
【請求項３】
前記デジタル文字放送信号抽出手段により抽出したデジタル文字放送信号を取り込み解析し、この解析結果に基づいて前記デジタル文字放送信号の誤りを検出する誤り検出手段とを具備したことを特徴とする請求項１または２に記載のデジタル文字放送信号モニタ装置。
【請求項４】
番組の素材を示す素材情報、該番組に関する制御情報を含んだデジタル放送の番組情報信号に、少なくとも番組の素材とともに表示すべきコンテンツを示すコンテンツ情報、該コンテンツに関する管理情報を含んだデジタル文字放送信号を多重して送出するデジタル放送番組送出装置に適用され、前記デジタル文字放送信号をモニタするデジタル文字放送信号モニタ方法であって、
前記番組情報信号に多重すべきデジタル文字放送信号を抽出する第１の過程と、
この第１の過程により抽出したデジタル文字放送信号を擬似的に発生する番組情報信号に多重して多重化信号を生成する第２の過程と、
この第２の過程で生成された多重化信号を表示器に表示させる第３の過程とを具備したことを特徴とするデジタル文字放送信号モニタ方法。
【請求項５】
番組の素材を示す素材情報、該番組に関する制御情報を含んだデジタル放送の番組情報信号に、少なくとも番組の素材とともに表示すべきコンテンツを示すコンテンツ情報、該コンテンツに関する管理情報を含んだデジタル文字放送信号を多重して送出するデジタル放送番組送出装置に適用され、前記デジタル文字放送信号をモニタするデジタル文字放送信号モニタ方法であって、
前記番組情報信号に多重すべきデジタル文字放送信号を抽出する第１の過程と、
外部からの指示に応じて、前記第１の過程により抽出したデジタル文字放送信号を擬似的に発生する番組情報信号に多重して多重化信号を生成する処理、及び前記第１の過程により抽出したデジタル文字放送信号を取り込み、前記コンテンツ情報の内容及び前記管理情報の内容を解析する処理を選択的に実行する第２の過程と、
この第２の過程による処理結果を表示器に表示させる第３の過程とを具備したことを特徴とするデジタル文字放送信号モニタ方法。
【発明の詳細な説明】
【０００１】
【発明の属する技術分野】
この発明は、デジタル放送の番組情報信号にデジタル文字放送信号を多重して送出するデジタル放送番組送出装置に適用され、デジタル文字放送信号をモニタするデジタル文字放送信号モニタ装置及びデジタル文字放送信号モニタ方法に関する。
【０００２】
【従来の技術】
近年、デジタル放送技術の確立に伴い、通信衛星や放送衛星を使用する衛星放送システムではデジタル放送が開始され、さらに地上波放送システムにおいてもデジタル放送への移行が計画されている。
【０００３】
上記デジタル放送の放送局では、アナログ放送で実施されているように、放送信号中に、例えば字幕データを多重して伝送する文字多重放送を行なうことも考えられている。
【０００４】
ところで、上記デジタル放送の放送局では、放送信号中に多重される字幕データが正しいデータであるか否かを各スタジオでチェックする必要がある。しかし、デジタル放送では、アナログ放送のように、多重すべき字幕データをそのまま表示器に表示することができない。
【０００５】
【発明が解決しようとする課題】
以上述べたように、デジタル放送にあっては、アナログ放送のように字幕データをそのまま表示器に表示することができず、有効な手段が望まれていた。
【０００６】
この発明の目的は、デジタル放送番組送出システムにあって、番組情報信号に多重されるデジタル文字放送信号の内容をチェックすることが可能なデジタル文字放送信号モニタ装置及びデジタル文字放送信号モニタ方法を提供することにある。
【０００７】
【課題を解決するための手段】
この発明は、上記目的を達成するために、以下のように構成される。
【０００８】
（１）番組の素材を示す素材情報、該番組に関する制御情報を含んだデジタル放送の番組情報信号に、少なくとも番組の素材とともに表示すべきコンテンツを示すコンテンツ情報、該コンテンツに関する管理情報を含んだデジタル文字放送信号を多重して送出するデジタル放送番組送出装置に適用され、デジタル文字放送信号をモニタするデジタル文字放送信号モニタ装置であって、番組情報信号に多重すべきデジタル文字放送信号を抽出するデジタル文字放送信号抽出手段と、このデジタル文字放送信号抽出手段により抽出したデジタル文字放送信号を擬似的に発生する番組情報信号に多重して多重化信号を生成する多重化信号生成手段と、この多重化信号生成手段で生成された多重化信号を表示する表示手段とを備えるようにしたものである。
【０００９】
（１）の発明によれば、抽出されたデジタル文字放送信号に擬似素材情報及び擬似制御情報が多重されて多重化信号が生成され、この擬似制御情報に基づいてデジタル文字放送信号が擬似素材情報とともに表示器に表示されることになる。従って、監視者は、通常の表示器に表示されたデジタル文字放送信号を見ることにより、放送されるべきデジタル文字放送信号のコンテンツが正しいものであるか、また正しい位置に表示されているかをチェックすることができる。
【００１０】
（２）上記対象において、番組情報信号に多重すべきデジタル文字放送信号を抽出するデジタル文字放送信号抽出手段と、このデジタル文字放送信号抽出手段により抽出したデジタル文字放送信号を取り込み、コンテンツ情報の内容及び管理情報の内容を解析する信号解析手段と、この信号解析手段による解析結果を表示する表示手段とを備えるようにしたものである。
【００１１】
（２）の発明によれば、抽出されたデジタル文字放送信号中の管理情報及びコンテンツ情報の内容が解析され、この解析結果が表示器に表示されることになる。従って、監視者は、表示器に表示された解析結果を見ることにより、擬似素材情報及び擬似制御情報を用意する必要がなく、多重される前のデジタル文字放送信号の詳細な内容をチェックすることができる。
【００１２】
（３）上記対象において、番組情報信号に多重すべきデジタル文字放送信号を抽出するデジタル文字放送信号抽出手段と、このデジタル文字放送信号抽出手段により抽出したデジタル文字放送信号を擬似的に発生する番組情報信号に多重して多重化信号を生成する第１の処理モードと、デジタル文字放送信号抽出手段により抽出したデジタル文字放送信号を取り込み、コンテンツ情報の内容及び管理情報の内容を解析する第２の処理モードとを有した信号処理手段と、この信号処理手段の出力を表示する表示手段と、外部からの指定情報に応じて、第１及び第２の処理モードを選択的に実行させるモード選択制御手段とを備えるようにしたものである。
【００１３】
（３）の発明によれば、例えば放送番組ごとに処理モードを設定しておくことで、ある放送番組についてはデジタル文字放送信号のコンテンツの内容及び表示位置をチェックし、一方別の番組についてはデジタル文字放送信号の詳細な内容をチェックするというように、番組ごとに最適なデジタル文字放送信号のチェックを行なうことができる。
【００１４】
【発明の実施の形態】
以下、この発明の実施形態について図面を参照して詳細に説明する。
【００１５】
図１は、この発明のデジタル文字放送信号モニタ装置の一実施形態を適用した場合のデジタル放送番組送出システムの構成を示すブロック図である。
【００１６】
この図１のデジタル放送番組送出システムは、エンコーダ（ＥＮＣ）１１，１２と、マルチプレクサ（ＭＵＸ）１３と、符号化多重制御装置（ＥＭＣ）１４と、自動番組送出制御装置（ＡＰＣ）１５と、局内時計１６とを備えている。
【００１７】
エンコーダ１１は、映像信号をＭＰＥＧ規格の符号化方式で圧縮符号化してＴＳ（Transport Stream）データを生成し、マルチプレクサ１３に出力する。エンコーダ１２は、音声信号を圧縮符号化してＴＳデータを生成し、マルチプレクサ１３に出力する。マルチプレクサ１３は、各エンコーダ１１，１２の出力と、符号化多重制御装置１４から出力されるＰＭＴ（Program Map Table）、ＰＡＴ（Program Association Table）等のデータとを多重化し、放送用のＴＳとして送出する。なお、符号化多重制御装置１４は、自動番組送出制御装置１５から提供される指示情報、放送スケジュールデータ及び局内時計１６で計測される編成時刻に基づいてエンコーダ１１，１２及びマルチプレクサ１３を制御する。
【００１８】
ところで、この実施形態のデジタル放送番組送出システムでは、さらに、文字放送送出装置１７と、エンコーダ１８と、モニタ装置１９とを備えている。
【００１９】
文字放送送出装置１７は、自動番組送出制御装置１５からの指示に従って文字放送信号を送出する。
【００２０】
エンコーダ１８は、文字放送信号をＭＰＥＧ規格の符号化方式で圧縮符号化してＴＳデータを生成し、マルチプレクサ１３に出力する。
【００２１】
モニタ装置１９は、エンコーダ１８の出力から字幕データを抽出してモニタする。
【００２２】
図２は、この発明の一実施形態とするモニタ装置１９の構成を示すブロック図である。
【００２３】
図２において、モニタ装置１９は、抽出部１９１と、多重化部１９２と、デコーダ１９３と、映像モニタ１９４と、解析部１９５と、ＣＲＴ（Cathode Ray Tube）モニタ１９６と、誤り検出部１９７と、切替スイッチ（ＳＷ）１９８とを備えている。
【００２４】
抽出部１９１は、エンコーダ１８から出力されるＴＳデータから字幕データを抽出する。
【００２５】
多重化部１９２は、上記抽出部１９１により抽出された字幕データに対し、予め記憶している擬似映像信号、及びＰＳＩ／ＳＩ等を含む擬似制御信号を多重して多重化信号を生成する。
【００２６】
デコーダ１９３は、多重化部１９２で生成された多重化信号を表示用フォーマットにデコードする。
【００２７】
映像モニタ１９４は、デコーダ１９３の出力を表示する。
【００２８】
解析部１９５は、上記抽出部１９５により抽出された字幕データを取り込み、その字幕データを解析し、この解析結果に基づき字幕管理情報の内容算出、字幕文の内容算出を行なう。
【００２９】
ＣＲＴモニタ１９６は、解析部１９５により算出された字幕管理情報の内容及び字幕文の内容を表示する。
【００３０】
誤り検出部１９７は、上記抽出部１９１により抽出される字幕データの誤りを検出し、その検出結果をＣＲＴモニタ１９６に出力して表示させる。
【００３１】
切替スイッチ１９８は、外部からの操作に応じて、多重化部１９２の処理及び解析部１９５の処理を選択的に実行させる。
【００３２】
次に、上記構成による動作について説明する。
エンコーダ１８から出力されたＴＳデータは、抽出部１９１によって、字幕データが抽出される。ここで、切替スイッチ１９８により多重化部１９２による処理が選択されているとき、多重化部１９２は、字幕データに擬似映像信号及び擬似制御信号を多重し多重化信号を生成する。
【００３３】
多重化信号は、デコーダ１９３によって、表示用フォーマットに変換され、しかる後に擬似制御信号に基づいて字幕データ及び擬似映像信号が映像モニタ１９４に表示される。この映像モニタ１９４による表示画面は、図３に示すように、例えばアスペクト比４：３のＮＴＳＣ方式の画面となる。
【００３４】
このため、監視者は、映像モニタ１９４の表示画面を見ることにより、字幕情報の内容及び表示位置をチェックすることができる。
【００３５】
一方、切替スイッチ１９８により解析部１９５による処理が選択されているとき、解析部１９５は、字幕データ中の字幕管理情報の内容及び字幕文データの内容を算出する。この字幕管理情報の内容としては、言語コード、文字符号化種別、表示書式、表示モード、組情報等がある。また、字幕文の内容としては、コンテンツの内容、表示位置等がある。
【００３６】
これら字幕管理情報の内容及び字幕文の内容は、ＣＲＴモニタ１９６により表示される。このため、監視者は、ＣＲＴモニタ１９６の表示画面を見ることにより、字幕データの詳細な内容をチェックすることができる。
【００３７】
また、抽出部１９１により抽出された字幕データは、誤り検出部１９７に供給される。誤り検出部１９７は、字幕データを基準データと比較することにより以下のような誤り検出を行なう。
連続指標が連続ではないエラー。
字幕文データ上で外字が使用されているにも関わらず、外字データが受信されなかったエラー。
データ長項目が正しくなかった時のエラー。
ＣＲＣ１６の計算誤りによるエラー。
【００３８】
誤り検出部１９７による検出結果は、ＣＲＴモニタ１９６により表示される。このため、監視者は、ＣＲＴモニタ１９６の表示画面を見ることにより、字幕データの異常を即座に認識することができ、対応処置等を迅速に講じることができる。
【００３９】
以上のように上記実施形態では、抽出部１９１で抽出された字幕データに対し、多重化部１９２により擬似映像信号及び擬似制御信号を多重して多重化信号を生成し、この多重化信号をデコーダ１９３によってデコードした後、擬似制御信号に基づいて字幕データを擬似映像信号とともに映像モニタ１９４に表示するようにしている。従って、監視者は、映像モニタ１９４に表示された映像を見ることにより、放送されるべき字幕データのコンテンツが正しいものであるか、また正しい位置に表示されているかをチェックすることができる。
【００４０】
また上記実施形態では、抽出部１９１で抽出された字幕データ中の字幕管理情報及び字幕文データそれぞれの内容を解析部１９５によって算出し、これら字幕管理情報及び字幕文それぞれの内容をＣＲＴモニタ１９６に表示するようにしている。従って、監視者は、ＣＲＴモニタ１９６に表示された字幕管理情報及び字幕文それぞれの内容を見ることにより、擬似映像信号及び擬似制御信号を用意しておく必要がなく、放送されるべき字幕データの詳細な内容をチェックすることができる。
【００４１】
また、上記実施形態において、例えば放送番組ごとに多重化部１９２による処理または解析部１９５による処理を切替スイッチ１９８で設定しておくことにより、ある放送番組については字幕データのコンテンツの内容及び表示位置をチェックし、一方別の番組については字幕データの詳細な内容をチェックするというように、番組ごとに最適な字幕データのチェックを行なうことができる。
【００４２】
さらに、上記実施形態において、誤り検出部１９７により字幕データを基準データと比較して誤りを検出し、この誤りをＣＲＴモニタ１９６に表示するようにすれば、放送されるべき字幕データの異常を素早く監視者に通知することができ、対応処置等を迅速に講じることができる。
【００４３】
なお、この発明は上記実施形態に限定されるものではない。例えば上記実施形態では、多重化部１９２及び解析部１９５の両方を備える例について説明したが、必要に応じて多重化部１９２及び解析部１９５のいずれか一方のみを備えるようにしてもよい。
【００４４】
また、上記実施形態では、番組に付随する字幕データを取り扱う例について説明したが、字幕データ以外の例えば臨時ニュース等のデジタル文字放送信号を取り扱うようにしてもよい。
【００４５】
また、上記実施形態では、抽出部１９１、多重化部１９２、解析部１９５、誤り検出部１９７及び切替スイッチ１９８をハードウェア構成で説明したが、図４に示すように、抽出部１９１、多重化部１９２、解析部１９５、誤り検出部１９７及び切替スイッチ１９８の各処理をＣＰＵ等のモニタ制御部２００によるソフトウェア処理により実現するようにしてもよい。
【００４６】
エンコーダ１８からＴＳデータが入力されることにより、モニタ制御部２００は図５に示すような制御処理を開始する。
【００４７】
この制御処理を開始するとモニタ制御部２００は、入力されたＴＳデータから字幕データを抽出し（ステップＳＴ５ａ）、続いて抽出した字幕データを基準データと比較して誤りがあるか否かの判断を行なう（ステップＳＴ５ｂ）。
【００４８】
ここで誤りがあるならば（Ｙｅｓ）、モニタ制御部２００は誤りを示す情報をＣＲＴモニタ１９６に出力する。
【００４９】
一方、誤りがなければ（Ｎｏ）、モニタ制御部２００は自己の処理モードの確認を行なって多重化を行なうか否かの判断を行なう（ステップＳＴ５ｃ）。
【００５０】
ここで多重化を行なう処理モードであるならば（Ｙｅｓ）、モニタ制御部２００は字幕データに予め記憶している擬似映像信号及び擬似制御信号を多重して多重化信号を生成し（ステップＳＴ５ｄ）、この多重化信号をデコーダ１９３に出力する（ステップＳＴ５ｅ）。
【００５１】
一方、解析を行なう処理モードであるならば（Ｎｏ）、モニタ制御部２００は字幕データの解析処理を実行し（ステップＳＴ５ｆ）、この解析結果に基づいて字幕データ中の字幕管理情報の内容及び字幕文の内容を算出し（ステップＳＴ５ｇ）、この算出結果をＣＲＴモニタ１９６に出力する（ステップＳＴ５ｈ）。
【００５２】
以後、ＴＳデータが入力されるごとに、上記ステップＳＴ５ａ乃至ステップＳＴ５ｈの処理を繰り返し実行する。
【００５３】
従って、抽出部１９１、多重化部１９２、解析部１９５、誤り検出部１９７及び切替スイッチ１９８の各処理をモニタ制御部２００により実現することができ、モニタ装置１９自体の製造コストの増加を抑えることができる。
【００５４】
また、上記実施形態では、字幕データの誤りをＣＲＴモニタ１９６に表示させる例について説明したが、映像モニタ１９４に表示させるようにしてもよい。
【００５５】
その他、デジタル放送番組送出システムの構成、モニタ装置の構成、モニタの種類、字幕データの多重制御手順、解析制御手順、誤り検出手順、デジタル文字放送信号の種類や内容等についても、この発明の要旨を逸脱しない範囲で種々変形して実施できる。
【００５６】
【発明の効果】
以上詳述したようにこの発明によれば、デジタル放送番組送出システムにあって、番組情報信号に多重されるデジタル文字放送信号の内容をチェックすることが可能なデジタル文字放送信号モニタ装置及びデジタル文字放送信号モニタ方法を提供することができる。
【図面の簡単な説明】
【図１】この発明が適用されるデジタル放送番組送出システムの構成を示すブロック図。
【図２】この発明の一実施形態とするモニタ装置の構成を示すブロック図。
【図３】字幕情報表示の一例を示す図。
【図４】この発明の他の実施形態に係わるモニタ装置の構成を示すブロック図。
【図５】図４に示したモニタ制御部の動作を説明するために示すフローチャート。
【符号の説明】
１１、１２、１８…エンコーダ（ＥＮＣ）、
１３…マルチプレクサ（ＭＵＸ）、
１４…符号化多重制御装置（ＥＭＣ）、
１５…自動番組送出制御装置（ＡＰＣ）、
１６…局内時計、
１７…文字放送送出装置、
１９…モニタ装置、
１９１…抽出部、
１９２…多重化部、
１９３…デコーダ、
１９４…映像モニタ、
１９５…解析部、
１９６…ＣＲＴモニタ、
１９７…誤り検出部、
１９８…切替スイッチ、
２００…モニタ制御部。
【図１】
0004005818.tif 000002
【図２】
0004005818.tif 000003
【図３】
0004005818.tif 000004
【図４】
0004005818.tif 000005
【図５】
0004005818.tif 000006